(57)【要約】【課題】軽量で、空気清浄効果が高く、長時間使用できる充電式電気掃除機の提供。【解決手段】電動送風機１０と電動送風機１０の駆動電源となる２次電池６とを内蔵し、無線信号を発信する発信手段９を備えた掃除機本体１と、使用者が握る手元操作部８と、掃除機本体１を載置し２次電池６を充電する充電台３０とを備え、充電台３０に、帯電微粒子水を生成する静電霧化装置１１と、外気を吸気し帯電微粒子水を空気中へ排出させる送風機１２と、静電霧化装置１１および送風機１２を制御する静電霧化制御部１３を配設し、手元操作部８を操作することにより発信手段９から発せられる無線信号を静電霧化制御部１３が受信し、静電霧化装置１１および送風機１２への通電を制御するもので、充電台より帯電微粒子水を放出することができ、掃除機本体内に静電霧化装置等を配設する必要がないため、掃除機本体の軽量性やコンパクト性を維持できる。【選択図】図２
2014100280.tif 000002
【特許請求の範囲】
【請求項１】
電動送風機と前記電動送風機の駆動電源となる電池とを内蔵するとともに、無線信号を発信する発信手段を備えた掃除機本体と、使用者が掃除動作時に握る手元操作部と、前記掃除機本体を載置し前記電池を充電する充電台とを備え、前記充電台に、帯電微粒子水を生成する静電霧化装置と、外気を吸気し前記帯電微粒子水を空気中へ排出させる送風機と、前記静電霧化装置および前記送風機への通電を制御する静電霧化制御部とを配設し、使用者が前記手元操作部を操作することにより前記発信手段から発せられる無線信号を前記静電霧化制御部が受信し、前記静電霧化装置および前記送風機への通電を制御するようにした充電式電気掃除機。
【請求項２】
手元操作部を操作することにより、静電霧化制御部が静電霧化装置への通電量を可変させることのできる請求項１に記載の充電式電気掃除機。
【請求項３】
手元操作部を操作することにより、静電霧化制御部が送風機の回転数を可変させることのできる請求項１または２に記載の充電式電気掃除機。
【請求項４】
手元操作部に電動送風機の運転開始や運転停止をさせる入力設定釦を配し、上記入力設定釦の操作に連動して、静電霧化制御部が静電霧化装置および送風機への通電を開始および停止させることを特徴とした請求項１〜３のいずれか１項に記載の充電式電気掃除機。
【請求項５】
入力設定釦を操作して電動送風機の運転を停止させた後、静電霧化制御部が所定時間経過したと判断した場合、前記静電霧化制御部が静電霧化装置および送風機への通電を停止させることを特徴とした請求項４に記載の充電式電気掃除機。
【発明の詳細な説明】
【技術分野】
【０００１】
本発明は、充電式電気掃除機に関するものである。
【背景技術】
【０００２】
従来の一般的な電気掃除機として、電動送風機の排気経路にイオン発生器を配置させた構成が提案されている（例えば、特許文献１参照）。
【０００３】
図８は、上記特許文献１に記載された従来の電気掃除機の掃除機本体の断面図である。
【０００４】
図８において、従来の電気掃除機の掃除機本体１０１は、電動送風機１０２を内蔵する電動送風機室１０３と、電動送風機室１０３の前方に配置されており、塵埃を捕集する集塵袋１０４を内蔵する集塵室１０５とを有し、掃除機本体１０１の後方の上部にはイオン発生器１０６が配置されており、イオン発生器１０６で発生させた大量のイオンを、電動送風機１０２の排気の一部を利用して大気に放出させて、浮遊する塵埃を広範囲に帯電させた後、このイオンで帯電された塵埃を集塵袋１０４で捕集する構成が提案されている。
【０００５】
また、近年は、被付着物に付着し当該被付着物の脱臭及び除菌を行う脱臭及び除菌作用を有するナノメータサイズのマイナスイオンミスト（帯電微粒子水）を生成させる静電霧化装置が知られている（例えば、特許文献２参照）。
【０００６】
図９は、上記特許文献２に記載された従来の静電霧化装置の外観図である。
【０００７】
図９において、静電霧化装置２０４は、放電極２０１と、放電極２０１に対向して位置する対向電極２０２と、放電極２０１に空気中の水分を結露又は氷結させて水を供給する水供給手段２０３とを備え、水供給手段２０３は、冷却部２０５と放熱部２０６とを有するペルチェユニット２０７の冷却部２０５に放電極２０１を設けて構成されており、放電極２０１と対向電極２０２との間に高電圧を印加することで、放電極２０１に保持された水を霧化させ、ナノメータサイズのマイナスイオンミストＭ（帯電微粒子水）を生成する構成が提案されている。
【０００８】
上述の特許文献１に記載の従来の電気掃除機においては、イオン発生器１０６によって発生されたイオンを電動送風機１０２の排気を利用して部屋中に放出させ、室内で対流させることにより、空気中に浮遊している塵埃を帯電させ捕集する構成であるため、イオンにより帯電した空気中の塵埃が被清掃面に落下するまでに時間が必要であった。また、上述の特許文献１に記載の従来の電気掃除機においては、空中に浮遊しているウィルス、雑菌、及びカビ菌などを十分に脱臭及び除菌することができず、十分な空気清浄効果が得られない場合があった。
【０００９】
そのため、空気中の塵埃を被清掃面に早く落下させるとともに、空中に浮遊しているウィルス、雑菌、及びカビ菌などを十分に脱臭及び除菌し、空気清浄効果を向上させるべく、上述の特許文献１に記載の従来の電気掃除機に、上述の特許文献２に記載の従来の静電霧化装置を組み合わせた構成を有する電気掃除機が提案されている（例えば、特許文献３参照）。
【００１０】
さらに、近年のニッケル水素電池やリチウムイオン電池などの電池性能の向上により、商用電源用の電気掃除機と同じ形態をし、吸い込み力のある充電式電気掃除機が提案されてきており、商用電源用の電気掃除機と同機能の空気清浄効果を搭載した充電式電気掃除
機の開発が望まれるようになりつつある。
【先行技術文献】
【特許文献】
【００１１】
【特許文献１】特開２００８−２１２３８９号公報
【特許文献２】特開２００６−６８７１１号公報
【特許文献３】特開２００９−２５４７８６号公報
【発明の概要】
【発明が解決しようとする課題】
【００１２】
しかしながら、充電式電気掃除機の掃除機本体に、上述の特許文献２に記載の静電霧化装置を搭載しようとすると、掃除機本体の大型化、デザイン性の制限および掃除機本体の重量の増加など、充電式電気掃除機の最大の特徴の一つである手軽さを損なってしまい使用勝手が低下してしまう課題がある。
【００１３】
また、掃除機本体内に内蔵される２次電池より静電霧化装置に電力を供給することが必要となるため、少ない時間ではあるが、充電式電気掃除機の使用時間を低下させてしまうという課題があった。
【００１４】
本発明は、上記従来技術の有する課題に鑑みてなされたものであり、軽量やコンパクト性を重視しつつ、空気清浄効果が高く、より長い時間使用できる充電式電気掃除機を提供することを目的とする。
【課題を解決するための手段】
【００１５】
上記従来技術の有する課題を解決するために、本発明の充電式電気掃除機は、電動送風機と前記電動送風機の駆動電源となる電池とを内蔵するとともに、無線信号を発信する発信手段を備えた掃除機本体と、使用者が掃除動作時に握る手元操作部と、前記掃除機本体を載置し前記電池を充電する充電台とを備え、前記充電台に、帯電微粒子水を生成する静電霧化装置と、外気を吸気し前記帯電微粒子水を空気中へ排出させる送風機と、前記静電霧化装置および前記送風機への通電を制御する静電霧化制御部とを配設し、使用者が前記手元操作部を操作することにより前記発信手段から発せられる無線信号を前記静電霧化制御部が受信し、前記静電霧化装置および前記送風機への通電を制御するようにしたもので、充電台より帯電微粒子水を空気中へ放出することができ、掃除機本体内に静電霧化装置等を配設する必要がないため、軽量やコンパクト性を重視しつつ、空気清浄効果が高く、より長い時間使用できる充電式電気掃除機を提供することができる。
【００１６】
また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い充電式電気掃除機を提供することができる。
【００１７】
また、掃除機本体が動作していない状態においても手元操作部を操作することで充電台より帯電微粒子水を空気中へ排出させることができるという利点もある。
【発明の効果】
【００１８】
本発明の充電式電気掃除機によれば、掃除機本体内に静電霧化装置等を配設する必要がないため、軽量やコンパクト性を重視しつつ、空気清浄効果が高く、より長い時間使用できる充電式電気掃除機を提供することができる。
【図面の簡単な説明】
【００１９】
【図１】本発明の実施の形態１における充電式電気掃除機の充電時の側面図
【図２】（ａ）同充電式電気掃除機の使用時の全体斜視図、（ｂ）同充電式電気掃除機の充電台の斜視図
【図３】同充電式電気掃除機の手元操作部の外観図
【図４】同充電式電気掃除機の静電霧化装置の構成を示す図
【図５】同充電式電気掃除機の制御ブロック図
【図６】同充電式電気掃除機による空気清浄効果を示すグラフ
【図７】本発明の実施の形態２における充電式電気掃除機の手元操作部の外観図
【図８】従来の電気掃除機における掃除機本体の断面図
【図９】従来の静電霧化装置における外観図
【発明を実施するための形態】
【００２０】
第１の発明は、電動送風機と前記電動送風機の駆動電源となる電池とを内蔵するとともに、無線信号を発信する発信手段を備えた掃除機本体と、使用者が掃除動作時に握る手元操作部と、前記掃除機本体を載置し前記電池を充電する充電台とを備え、前記充電台に、帯電微粒子水を生成する静電霧化装置と、外気を吸気し前記帯電微粒子水を空気中へ排出させる送風機と、前記静電霧化装置および前記送風機への通電を制御する静電霧化制御部とを配設し、使用者が前記手元操作部を操作することにより前記発信手段から発せられる無線信号を前記静電霧化制御部が受信し、前記静電霧化装置および前記送風機への通電を制御するようにしたもので、充電台より帯電微粒子水を空気中へ放出することができ、掃除機本体内に静電霧化装置等を配設する必要がないため、軽量やコンパクト性を重視しつつ、空気清浄効果が高く、より長い時間使用できる充電式電気掃除機を提供することができる。
【００２１】
また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い充電式電気掃除機を提供することができる。
【００２２】
また、掃除機本体が動作していない状態においても手元操作部を操作することで充電台より帯電微粒子水を空気中へ排出させることができるという利点もある。
【００２３】
第２の発明は、特に、第１の発明の手元操作部を操作することにより、静電霧化制御部が静電霧化装置への通電量を可変させることのできるもので、使用者が掃除をしており、塵埃が多いと感じた際には、手元操作部を操作することで静電霧化装置への通電量を上げて、帯電微粒子水の空気中への放出量をあげ、より空気清浄効果を高め、また、塵埃が少ないと感じた際には、静電霧化装置への通電量を下げて省エネを行うなど自由自在に調整することができ、使用勝手のよい充電式電気掃除機を提供することができる。
【００２４】
第３の発明は、特に、第１または２の発明の手元操作部を操作することにより、静電霧化制御部が送風機の回転数を可変させることのできるもので、使用者が掃除をしており、帯電微粒子水を放出させる充電台から遠い位置を掃除していると感じた際には、手元操作部を操作することで帯電微粒子水を空気中へ排出させる送風機の回転数を上げ、掃除を行っている領域近辺まで帯電微粒子水を放出させるなど自由自在に調整することができ、使用勝手のよい充電式電気掃除機を提供することができる。
【００２５】
第４の発明は、特に、第１〜３のいずれかひとつの発明の手元操作部に電動送風機の運転開始や運転停止をさせる入力設定釦を配し、上記入力設定釦の操作に連動して、静電霧化制御部が静電霧化装置および送風機への通電を開始および停止させるもので、掃除中の電動送風機の駆動時のみに静電霧化制御部が静電霧化装置および送風機への通電を行うようにすることができるため、掃除開始時には必ず帯電微粒子水を空気中へ放出でき、また掃除停止時には必ず静電霧化装置および前記送風機への通電を停止できるため、使用者が静電霧化装置および前記送風機への通電を切り忘れることなく、また、操作部のスイッチを多く配することなく最低限の必要時に帯電微粒子水を空気中へ放出できるため、安価でより使用勝手のよい充電式電気掃除機を提供することができる。
【００２６】
第５の発明は、特に、第４の発明の入力設定釦を操作して電動送風機の運転を停止させた後、静電霧化制御部が所定時間経過したと判断した場合、前記静電霧化制御部が静電霧化装置および送風機への通電を停止させるもので、掃除終了時の塵埃等が舞い上がっている状態においても、ある所定時間は空気中の塵埃を早く被清掃面に落下させることができ、掃除後においてもより空気清浄効果を高めることができ、また、所定時間後には自動的に静電霧化装置および前記送風機への通電が停止するため、使用者が静電霧化装置および前記送風機への通電を切り忘れることなく不必要に電力を消費することがない、より空気清浄効果が高く使用勝手のよい充電式電気掃除機を提供することができる。
【００２７】
以下、図面を参照しながら本発明の電気掃除機の好適な実施の形態について詳細に説明する。なお、以下の説明では、同一または相当部分には同一符号付し、重複する説明は省略する。また、この実施の形態によって本発明が限定されるものではない。
【００２８】
（実施の形態１）
図１は、本発明の実施の形態１における充電式電気掃除機の充電時の側面図、図２（ａ）は、同充電式電気掃除機の使用時の全体斜視図、図２（ｂ）は、同充電式電気掃除機の充電台の斜視図、図３は、同充電式電気掃除機の手元操作部の外観図、図４は、同充電式電気掃除機の静電霧化装置の構成を示す図、図５は、同充電式電気掃除機の制御ブロック図、図６は、同充電式電気掃除機による空気清浄効果を示すグラフである。
【００２９】
図１において、本実施の形態における充電式電気掃除機１００は、主として、吸引風を発生させる電動送風機１０を内蔵する掃除機本体１と、被清掃面の塵埃を吸引する吸込具２と、一端が吸込具２に着脱自在に接続される伸縮自在あるいは継ぎ自在の延長管３と、一端が延長管３の他端に接続され、他端が掃除機本体１に接続されるとともに導電線（図示せず）を有したホース４とから構成されており、掃除機本体１には、電動送風機１０を駆動するための２次電池６とを備えている。また、２次電池６を充電するために掃除機本体１を装着する充電台３０も備えている。
【００３０】
また、図２に示すように、掃除機本体１には、ホース４に設けられた手元把持部７の手元操作部８を操作することで無線信号を発信する発信手段９が備えられており、充電台３０には、静電霧化装置１１および送風機１２への通電を制御する静電霧化制御部１３と、外気を吸引する外気吸引口１４および帯電微粒子水を放出する帯電微粒子水放出口１５を有しており、外気吸引口１４と帯電微粒子水放出口１５を連通する連通路内１６に、帯電微粒子水を発生させる静電霧化装置１１と静電霧化装置１１から発生した帯電微粒子水を、外気を吸気することで空気中へ排出させる送風機１２が配されている。
【００３１】
このように、帯電微粒子水を発生させる機能が充電台３０に配されおり、掃除機本体１内に配することを必要としないため、掃除機本体１はコンパクト化および軽量化が図れる。
【００３２】
手元操作部８には、図３に示されるような使用者が電動送風機１０の運転開始や運転停止および入力を選択する入力設定釦１９が設けられており、入力設定釦１９が押されることでホース４内の導電線を通じて送信される信号に基づき、掃除機本体１内に配されているマイクロコンピュータなどで構成された制御部２６（後述）が電動送風機１０の各種の動作モード（「強」・「弱」・切などの吸込み力）を制御する。
【００３３】
さらに、この手元操作部８には、充電台３０に配された静電霧化装置１１および送風機１２の通電を制御する静電霧化装置設定釦１７と送風機設定釦１８が設けられており、各釦が押されることでホース４内の導電線を通じて送信される信号に基づき、制御部２６が発信手段９を制御する。静電霧化装置設定釦１７には通電を開始するＯＮ釦、ＯＦＦ釦および通電量を調整する＋釦、−釦、送風機設定釦１８には、回転数を調整する＋釦、−釦がそれぞれ備えられている。
【００３４】
図４に示すように、静電霧化装置１１は、ペルチェ素子２０と、ペルチェ素子２０の冷却側に接続された針状電極２１と、ペルチェ素子２０の放熱側に接続された放熱フィン２２とから構成されており、針状電極２１の先端側には、アース電極２３が配置されている。また、針状電極２１及び放熱フィン２２は、ペルチェ素子２０と電気的には絶縁されているが、ペルチェ素子２０と温度伝達的には接続されており、ペルチェ素子２０に電圧が印加されると、ペルチェ素子２０の冷却側に接続された針状電極２１が冷却されるとともに、ペルチェ素子２０の放熱側に接続された放熱フィン２２によりペルチェ素子２０の放熱側で発生した熱が放熱されるように構成されており、また針状電極２１が冷却されることで空気中の水分を結露させ、針状電極２１とアース電極２３との間に高電圧を印加することで、帯電微粒子水が発生する。
【００３５】
次に、図５を用いて、本実施の形態における電気掃除機の制御ブロック図について説明する。
【００３６】
手元操作部８に設けられた入力設定釦１９が使用者により操作されると、制御部２６に信号が送信され、制御部２６はＭＯＳＦＥＴなどで構成された電動送風機駆動手段２７を通じて、電動送風機１０の回転数を制御し入力制御を行う。また、手元操作部８に設けられた静電霧化装置設定釦１７を操作すると、制御部２６に信号が送信され、制御部２６は発信手段９に発信開始の信号を送り、発信手段９は無線信号にて、静電霧化装置１１を制御する静電霧化制御部１３に信号を送信する。
【００３７】
静電霧化制御部１３には、無線信号を受信する受信手段２５が内蔵されており、受信された信号に応じて、静電霧化装置１１の通電制御と送風機１２の通電制御を同時に行う。手元操作部８に設けられた送風機設定釦１８を操作したときも、同様に制御部２６に信号が送信され、制御部２６は、発信手段９に発信開始の信号を送り、発信手段９は無線信号にて、送風機１２の回転数を制御する静電霧化制御部１３に信号を送信する。静電霧化制御部１３に内蔵された受信手段２５が受信した信号に応じて、送風機１２の回転数制御を行う。
【００３８】
以上のように構成された本実施の形態における充電式電気掃除機について、以下、その動作、作用を説明する。
【００３９】
例えば、使用者が手元操作部８の入力設定釦１９を操作し、「強」モードを選択すると、制御部２６は、手元操作部８からの情報を基に、電動送風機駆動手段２７に予め定められた信号を送り、電動送風機１０を駆動させる。電気掃除機の運転が始まると、使用者は手元把持部７を握り被清掃面に接触している延長管３に取り付けられた吸込具２を操作して掃除動作を行う。
【００４０】
使用者が、掃除動作中に塵埃があると感じた際には、手元操作部８の静電霧化装置設定釦１７のＯＮ釦を操作することで、充電台３０に内蔵されている静電霧化装置１１を制御する静電霧化制御部１３が静電霧化装置１１と送風機１２へ通電を開始し、充電台３０に設けられた帯電微粒子水放出口１５から帯電微粒子水が空気中に放出される。また、使用者が塵埃が多いと感じた際には、静電霧化装置設定釦１７の＋釦を押すことで静電霧化装置１１への通電量を多くすることができる。逆に使用者が塵埃が少ないと感じた際には、静電霧化装置設定釦１７の−釦を押すことで静電霧化装置１１への通電量を下げて省エネを行うなど、自由自在に操作できる。
【００４１】
また、使用者が充電台３０より遠い位置を掃除していると感じた際には、手元操作部８の送風機設定釦１８の＋釦を押すことで帯電微粒子水を空気中へ排出させる送風機１２の回転数を上げ、掃除を行っている領域近辺まで帯電微粒子水を放出させるなど自由自在に調整することができる。
【００４２】
なお、静電霧化装置１１と送風機１２へ通電は手元操作部８の静電霧化装置設定釦１７のＯＮ釦を操作することで実現し、掃除機本体１に内蔵された電動送風機１０を駆動させることなく、単独で制御できるように構成されているため、掃除動作を行っていない場合においても、空気中に帯電微粒子水を放出させ空気清浄効果を発揮することもできる。
【００４３】
ここで、従来の電気掃除機と本実施の形態による充電式電気掃除機１００とを用いて、空気清浄機の規格ＪＥＭ１４６７の試験法に準じた試験結果について説明する。試験は２０〜３０立方メートルの測定室内でタバコ吸煙機（図示せず）を使用してタバコ５本を発煙させ、タバコ吸煙機と同程度の撹拌ファンを運転させながら濃度分布を一定にする。その後、充電式電気掃除機を運転させながら、粒子径０．３μｍのタバコの煙の減衰率を時間毎に測定するものである。
【００４４】
図７に示すように、運転時間５分後の比較では、本実施の形態における充電式電気掃除機１００の除去率が、従来の電気掃除機より約２０％良い結果であった。これは従来の電気掃除機に比べ、タバコの煙をより早く床面に沈降させて、集塵していることが、グラフより読み取れる。今回用いたタバコの煙も浮遊塵埃のひとつであるが、浮遊塵埃としては、様々な粒子径の物が存在し、最大では約１μｍの大きさの物まで存在する。また、沈降性塵埃でも花粉等は、数十μｍの粒子径で浮遊している時間も長い。浮遊している粒子径の大きなものほど、より多くのマイナスイオンミストが付着帯電できるので、床面へのより早い沈降が期待できるものである。
【００４５】
以上のように、本実施の形態においては、充電台３０より帯電微粒子水を空気中へ放出することができ、掃除機本体１内に静電霧化装置１１等を配設する必要がないため、軽量やコンパクト性を重視しつつ、空気清浄効果が高く、より長い時間使用できる充電式電気掃除機を提供することができる。さらに、使用者が手元操作部８を操作することで、静電霧化装置１１からの帯電微粒子水の放出量を自在にコントロールでき、また、送風機１２の回転数も自在にコントロールできるため帯電微粒子水の放出範囲を自在に調整でき、より使用性を向上させることができる。
【００４６】
また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い充電式電気掃除機を提供することができる。
【００４７】
（実施の形態２）
図７は、本発明の実施の形態２における充電式電気掃除機の手元操作部の外観図である。なお、上述した実施の形態１における充電式電気掃除機と重複する部品については、同一符号を付してその説明を省略する。
【００４８】
図７において、本実施の形態における充電式電気掃除機の手元操作部８には、使用者が電動送風機１０の運転開始や運転停止および入力を選択する入力設定釦１９が設けられており、入力設定釦１９の各釦が押されることでホース４内の導電線を通じて送信される信号に基づき、掃除機本体１内に配されているマイクロコンピュータなどで構成された制御部２６が電動送風機１０の各種の動作モード（「強」・「弱」・切などの吸込み力）を制御するとともに、「強」釦や「弱」釦を押した場合には、静電霧化装置１１および送風機１２の通電を開始する。
【００４９】
また、「切」釦を押した場合には、電動送風機１０の運転を停止させるとともに、静電霧化装置１１および送風機１２の通電も停止する。
【００５０】
さらに、この手元操作部８には、充電台３０に配された静電霧化装置１１および送風機１２の通電を制御する静電霧化装置設定釦１７と送風機設定釦１８が設けられており、各釦が押されることでホース４内の導電線を通じて送信される信号に基づき、制御部２６が発信手段９を制御する。静電霧化装置設定釦１７には通電量を調整する＋釦、−釦、送風機設定釦１８には回転数を調整する＋釦、−釦が備えられている。
【００５１】
手元操作部８に設けられた入力設定釦１９の「強」釦または「弱」釦が使用者により操作されると、制御部２６に信号が送信され、制御部２６は、ＭＯＳＦＥＴなどで構成された電動送風機駆動手段２７を通じて、電動送風機１０の回転数を制御し入力制御を行うとともに、制御部２６は、発信手段９に発信開始の信号を送り、発信手段９は無線信号にて、静電霧化装置１１を制御する静電霧化制御部１３に信号を送信する。静電霧化制御部１３には無線信号を受信する受信手段２５が内蔵されており、受信された信号に応じて、静電霧化装置１１の通電制御と送風機１２の通電制御を同時に行う。
【００５２】
また、入力設定釦１９の「切」釦を操作すると、静電霧化装置１１の通電制御と送風機１２の通電制御を同時に行うよう構成されている。
【００５３】
以上のように構成された本実施の形態における充電式電気掃除機では、掃除中の電動送風機１０の駆動時のみに静電霧化制御部１３が静電霧化装置１１および送風機１２への通電を行うようにすることができるため、掃除開始時には必ず帯電微粒子水を空気中へ放出でき、また掃除停止時には必ず静電霧化装置１１および前記送風機１２への通電を停止できるため、使用者が静電霧化装置１１および前記送風機１２への通電を切り忘れることなく、また、手元操作部８にスイッチを多く配することなく最低限の必要時に帯電微粒子水を空気中へ放出できるため、安価でより使用勝手のよい充電式電気掃除機を提供することができる。
【００５４】
なお、入力設定釦１９の「切」釦が押された後、電動送風機１０への通電を停止させ、かつ静電霧化制御部１３が、所定時間経過、例えば５分経過したと判断した場合、静電霧化制御部１３が静電霧化装置１１および送風機１２への通電を停止させるような構成にすれば、掃除終了時の塵埃等が舞い上がっている状態においても、ある所定時間である５分間は、空気中の塵埃を早く被清掃面に落下させることができ、掃除後においてもより空気清浄効果を高めることができ、また、所定時間５分後には自動的に静電霧化装置１１および送風機１２への通電が停止するため、使用者が静電霧化装置１１および前記送風機１２
への通電を切り忘れることなく不必要に電力を消費することがなく、より空気清浄効果が高く使用勝手のよい充電式電気掃除機を提供することもできる。
【産業上の利用可能性】
【００５５】
本発明の充電式電気掃除機は、軽量やコンパクト性を重視しつつ、空気清浄効果が高く、より長い時間使用できるもので、帯電微粒子水を発生させる静電霧化装置を搭載した各種家庭用、業務用電気掃除機の分野・用途に好適に適用することができる。
【符号の説明】
【００５６】
１  掃除機本体
２  吸込具
３  延長管
４  ホース
６  ２次電池（電池）
７  手元把持部
８  手元操作部
９  発信手段
１０  電動送風機
１１  静電霧化装置
１２  送風機
１３  静電霧化制御部
１４  外気吸引口
１５  帯電微粒子水放出口
１６  連通路内
１７  静電霧化装置設定釦
１８  送風機設定釦
１９  入力設定釦
２０  ペルチェ素子
２１  針状電極
２２  放熱フィン
２３  アース電極
２５  受信手段
２６  制御部
２７  電動送風機駆動手段
３０  充電台
１００  充電式電気掃除機
【図３】
2014100280.tif 000003
【図４】
2014100280.tif 000004
【図５】
2014100280.tif 000005
【図７】
2014100280.tif 000006
【図１】
2014100280.tif 000007
【図２】
2014100280.tif 000008
【図６】
2014100280.tif 000009
【図８】
2014100280.tif 000010
【図９】
2014100280.tif 000011